(57)【要約】 【課題】ドアに穿孔や接着を必要とせずに握り玉タイプのドアノブを幼児が開けることができないようにすることを目的とする。【解決手段】本発明のドアノブカバーは複数の部品をドアノブにかぶせて接合して接合体として使用する．接合体は円筒形もしくは四角筒形の筒部に対面の二カ所に指穴が開いており前面は盲端になっている．筒部の外径は大きいため幼児の片手の大きさでは指を二本同時に入れてドアノブを把持することはできず，ドアノブを回せなくなる．【選択図】図３
2015129367.tif 000002
【特許請求の範囲】
【請求項１】
複数の部材が接合して一体となった接合体には筒形板構造の筒部があり，筒部の最小内径はドアノブ外径より大きく，筒部には対面の二カ所に指が挿入可能な指穴があいていて，
接合体の筒部の前方に前板があり，
接合体の筒部の後方の後板には円孔があいていて，円孔の内径はドアノブの握り玉の外径より小さく，ドアノブの軸より大きな径であることを特徴とする握り玉タイプのドアノブ用のドアノブカバー．
【請求項２】
半筒形板構造の半筒部に指穴があり，半筒部の両端にロック機構があり，
前方に前板があり，
後方に後板があってそこに半円孔があいており，
この部材が二つあり，ドアノブにかぶせてから二つの部材はそれぞれロック機構で接合して接合体となることを特徴とする請求項１に記載のドアノブカバー．
【請求項３】
半筒形板構造の半筒部に指穴があり，
前方に前板があり，
後方に後板がありそこに半円孔があいており，
その部材が二つあり，二つの半筒部の一端同士で回転可能に接続されており，半筒部の他端にはそれぞれにロック機構があり，
ドアノブにかぶせてから，二つの部材はロック機構で接合して接合体となることを特徴とする請求項１に記載のドアノブカバー．
【請求項４】
接合体の筒部の指穴は前板より10mm以上後方にあいていることを特徴とする請求項１から３に記載のドアノブカバー．
【請求項５】
接合体の筒部が円筒形状もしくは四角筒形状であることを特徴とする請求項１から４に記載のドアノブカバー．
【発明の詳細な説明】
【技術分野】
【０００１】
本発明は、幼児がドアを勝手に開けないように握り玉タイプのドアノブに被せて使用する器具に関するものである。
【背景技術】
【０００２】
幼児にとって危険な階段や玄関など段差のある所へ一人で行かないようにドアをロックする必要がある．しかし鍵がないドアも多く，また鍵があったとしてもいちいち鍵をかけることは手間である
【０００３】
レバー式ドアノブ用のペット対策器具やロックを別に取り付けるものは既に存在する．
【先行技術文献】
【特許文献】
【０００４】
【特許文献１】米抄２００４−１８３３１５
【発明の概要】
【発明が解決しようとする課題】
【０００５】
既存の器具はドアに強力に接着させるかネジ止めするかして器具を固定する必要があり，器具の除去後にドアや戸口に穴傷や汚れを伴う．
【０００６】
そこで、本発明の幼児対策用握り玉タイプドアノブカバーは、ドアに穿孔や接着を必要とせずに握り玉タイプのドアノブを幼児が開けることができないようにすることを目的とする。
【課題を解決するための手段】
【０００７】
ほぼ同形状の二つの部品が接合して接合体となる．接合体は円筒形の筒部と，前方は盲端の前板で，後方の後板にはドアノブ外径より小さな径でドアノブの軸より大きな径の円孔があいていて，筒部には対向する二カ所に大人の指一本が入るぐらいの指穴が開いている．二個の指穴の間隔が幼児の手では届かないぐらいの大きさの円筒外径，つまり７ｍｍ程の外径とする．さらに指穴は前板より1cm以上後方にあいている．まず二つの部品をドアノブにかぶせて接合し，ドアノブから離脱できないようにする．
【０００８】
その他の形態として，二つの部品は回転可能に接続され，その接続部の他端にそれぞれロック機構があり，ドアノブにかぶせてからロックして接合体となりドアノブから離脱できないようにする形態も例示できる。
【０００９】
また，接合体の筒部が円筒形から四角筒形へ変換された形態も例示できる．
【発明の効果】
【００１０】
本発明のドアノブカバーはドアノブ周りを滑動するためドアノブカバーを握ってもドアノブを回せない．ドアノブを回そうとするとドアノブカバーの筒部の二つの指穴の一方に母指を挿入し，もう一方の指穴にその他の指を挿入してドアノブを二本の指で把持して回す必要がある．円筒外径は大きいため幼児の手の大きさでは指を二本入れることはできず，二本の指だけで把持する力も幼児ではないためドアノブを回せなくなる．
【００１１】
ドアノブに被せるだけなのでドアに穿孔や接着等を必要とせず，器具除去後に汚れや傷が残ることがない。
【図面の簡単な説明】
【００１２】
【図１】本発明の実施形態１の部品Ａの上面図である。
【図２】本発明の実施形態１の接合体の上斜視図である。
【図３】本発明の実施形態１の接合体の側斜視図で点線がドアノブである。
【図４】本発明の実施形態１の接合体の後面図である．
【図５】本発明の実施形態１の接合体の前面図である．
【図６】本発明の実施形態２の接合体の前面図である。
【図７】本発明の実施形態３の接合体の前面図である。
【図８】本発明の実施形態１，２，３のロック機構である。
【発明を実施するための形態】
【００１３】
本発明の実施形態１を図１〜５，８を用いて説明する。図１に示す部品Ａは半円筒形の半筒部a１に指穴a２が一つあり，半筒部a１の両端にロック機構a３がある．部品Ａの前方に半円形の前板a４があり，後方に後板a５がありそこに半円孔a６があいている．部品Ｂも同様な形態で，部品Ａとロック機構で接合して接合体Ｕとなる。図２〜５で示す接合体Ｕは円筒形の筒部u１と，筒部u１の前方は盲端の前板u４があり，筒部u１の後方に後板u５がありそこに円孔u６があいている．円孔u６の内径はドアノブ８の握り玉の外径より小さく，ドアノブの軸７より大きな径である．接合体Ｕの筒部u１の内径はドアノブ外径より大きい．筒部u１には指穴u2が対面の二カ所にある（図４，５では矢印の位置）．指穴u２は直径22mm程で前板から1cm以上後方にあける．接合体Ｕの筒部u１の外径は60〜80mm程である．
【００１４】
本発明の実施形態２は，図６で示す二つの部品は半筒部u１の一端同士で軸u７により回転可能に接続されており，他端にはそれぞれロック機構u３がある．その他は実施形態１と同じである．
【００１５】
本発明の実施形態３を図７にて説明する。二つの部品がロック機構su３で接合して接合体sＵとなる。接合体sＵは角丸正四角筒形の筒部su１に指穴が対面の二カ所（図７の矢印の位置）にある．実施形態１と同様に前方に前板su４が，後方に後板su５と円孔su６がある．接合体sＵの筒部su１の最小内径（断面における正四角形の一辺長）は点線で表すドアノブ８の外径より大きい．接合体sＵの筒部su１の最大外径（断面における正四角形の対角線長）は70〜90mm程である．
【００１６】
本発明の実施形態１，２，３のロック機構u３，su３は図８a〜cに例示するような構造やネジ留めなどがあげられる．
【００１７】
本発明の実施形態１，２，３とも，握り玉タイプのドアノブにかぶせてから二つの部品を接合して使用する．
【図１】
2015129367.tif 000003
【図２】
2015129367.tif 000004
【図３】
2015129367.tif 000005
【図４】
2015129367.tif 000006
【図５】
2015129367.tif 000007
【図６】
2015129367.tif 000008
【図７】
2015129367.tif 000009
【図８】
2015129367.tif 000010